(57)【要約】【課題】  狭い部屋の中で、ドライバーと同じ長さを有するクラブでのスウィング練習を可能にする、伸縮ゴルフクラブを提供する。【解決手段】  グリップを有する外筒４内に、先端部にヘッド２を設けたシャフト３を挿入することで伸縮自在となる構造にし、かつ、ストッパー６を備えた紐５を外筒４内に通し、その紐５でシャフト上端部３ｂとプレーヤーの腰部とを連結した。このようにしたことで、スウィング時にヘッド２がプレーヤーの腰部よりも上にくればシャフト３は縮小し、また、ヘッド２がプレーヤーの腰部よりも下にあればシャフト３は伸長している状態となる。【選択図】  図１
2006021011.tif 000002
【特許請求の範囲】
【請求項１】
グリップを有する外筒内に、先端部にヘッドを設けたシャフトを挿入することで伸縮自在となる構造にし、かつ、ストッパーを備えた紐を外筒内に通してシャフト上端部とプレーヤーとを連結し、スウィング時のシャフトの動きを制限できるようにしたことを特徴とする伸縮ゴルフクラブ。
【請求項２】
シャフトと外筒内壁の軸方向に、互いが嵌まり滑動可能な形状のレールや凹凸部を設け、シャフトが外筒内で回転しないようにしたことを特徴とする、請求項１に記載の伸縮ゴルフクラブ。
【発明の詳細な説明】
【技術分野】
【０００１】  本発明は、スウィングによって伸縮する室内練習用ゴルフクラブに関するものである。
【背景技術】
【０００２】  狭い部屋の中でゴルフの練習をするとなると、せいぜい短いクラブを使っての素振りか、または、パターの練習程度のことしか出来ない。【０００３】  従来、これに類する伸縮ゴルフクラブとしては、特許公開平７−２４０９６号が提案している。
【発明の開示】
【発明が解決しようとする課題】
【０００４】一般的な住宅の部屋の中で、ゴルフクラブを使ってのスウィングの練習は、天井や壁、柱や家具といった障害になる物が多く、また、それらをキズ付けたり破損させたりする恐れがある為、スウィングに必要なスペース、特にドライバーを振り回すスペースを確保して練習することは困難である。従って、ドライバーのスウィングに本来必要なスペースよりも狭いスペースで、かつ、ドライバーと同じ長さを有するクラブでのスウィング練習を可能にする、伸縮ゴルフクラブを提供しようとするものである。
【課題を解決するための手段】
【０００５】  請求項１に記載の伸縮ゴルフクラブは、グリップを有する外筒内に、先端部にヘッドを設けたシャフトを挿入することで伸縮自在となる構造にし、且つ、ストッパーを備えた紐を外筒内に通してシャフト上端部とプレーヤーとを連結し、スウィング時のシャフトの動きを制限するようにした。このように構成したことにより、外筒を上下に傾けるだけでシャフトは自重によって伸縮するようになり、また、スウィング時には遠心力が働くことでシャフトが伸長するようになる。さらに、スウィングにより伸長したシャフトを強制的に外筒内に縮小することができる。【０００６】  請求項２に記載の伸縮ゴルフクラブは、シャフトと外筒内壁の軸方向に、互いが嵌まり滑動可能な形状のレールや凹凸部を設け、シャフトが外筒内で回転しないようにした。
【発明の効果】
【０００７】  本発明の伸縮ゴルフクラブでのスウィング時には、ヘッドがプレーヤーの腰部よりも上にくればシャフトは縮小し、また、ヘッドがプレーヤーの腰部よりも下にあればシャフトは伸長している状態となることから、視覚的には伸縮していることは気にならず、実際のゴルフクラブを使用している感覚での有効的なスウィング練習が、本来必要とするスペースよりも狭いスペースでできるようになる。
【発明を実施するための最良の形態】
【０００８】  グリップを有する外筒内に、先端部にヘッド部を設けたシャフトを挿入し伸縮自在な構造にすることで、グリップを中心に外筒を下に向ければシャフトは自重により伸長し、上に向ければ縮小するようになり、また、スウィング時には遠心力によりシャフトが一気に外筒内から飛び出し、最も伸長した状態となる。さらに、外筒内から外筒上端部を通して外に出した紐の外筒内にある一端をシャフト上端部に固定し、外筒上端部から外に出ているもう一方の端部はプレーヤー腰部、詳しくは右脇腹辺りに連結可能にしてあり、その紐の途中にはストッパーを設けシャフトが外筒から抜け落ちないようにしてある。このようにシャフトとプレーヤー腰部とを紐で連結することで、シャフトは腰部を中心とする制限された動きになり、グリップが腰部から遠ざかるにつれシャフトは紐により外筒内に引き戻され縮小するようになる。また、シャフトとプレーヤーを連結する紐の長さは、プレーヤーの身長や体型に合わせて、紐のプレーヤー側先端部に設けたアジャスターにより調節できるようにしてあり、アドレスの構えのときに少し弛む程度の長さに調節する。【０００９】  以下、伸縮ゴルフクラブ本体のスウィング動作時に於ける形態を図面に従って説明する。先ず、（図２）に示すスウィング前半のアドレス時（１０１）には、伸縮自在としたシャフト３は自重により伸長するようになり、シャフト３に引っ張られたストッパー６が外筒上端部４ｃに当たり、シャフト３が伸び切った状態を維持できるようになる。また、続くバックスウィング時（１０２）にはヘッド２は徐徐に外筒先端部４ｄの上に位置するようになる為、シャフト３は自重により外筒４内に縮小し始め、トップ時（１０３）には練習用ゴルフクラブ本体１は一杯に縮小した状態になる。【００１０】  次に、（図３）に示すスウィング中盤のダウンスウィング時（１０４）からインパクト時（１０５）にかけては、外筒４内に収まっているシャフト３は遠心力により伸長し、アドレス時同様、ストッパー６の作用で練習用ゴルフクラブ本体１は最も伸長した状態となる。【００１１】  次に、（図４）に示すスウィング後半のフォロースルー時（１０６）には、外筒４がプレーヤーの腰部から遠ざかると同時に、連結された紐５によって動きが制限されたシャフト３は外筒４内に引き戻されるようになり、外筒４が最もプレーヤーの腰部から遠ざかるフィニッシュ時（１０７）には、シャフト３は一杯に縮小した状態となる。
【実施例】
【００１２】  以下、添付図面に従って一実地例を説明する。本発明の伸縮ゴルフクラブ本体１は、ヘッド２と、シャフト３と、外筒４と、紐５と、ベルト７と、から構成されている。【００１３】    ヘッド２は、プラスチック等の素材で実物の形状に形成されており、挿入口２ａにシャフト先端部を挿入し、固定用ネジ２ｂで固定している。また、ヘッド２を実物以外の形状に、たとえば球状などの疑似ヘッドにしてシャフトをその中心部に通してもよく、その場合、後に述べるシャフトの外筒内での回転を抑える構造は必要としない。【００１４】  シャフト３、外筒４は、共にプラスチックやスチールなどの硬質素材で形成し、シャフト３の先端には外筒４との衝撃と衝突音を緩和するための軟質なゴム等で形成されたストッパー３ｃが装着してあり、シャフト３は外筒先端部にストッパー３ｃが当たる位置まで縮小可能で、また、シャフト３の軸方向には凹状のレール３ａが設けてある。一方、外筒先端の内壁には凸状のツメ４ａが設けてあり、レール３ａと嵌まり合うことでシャフト３は外筒４内で回転することなく軸方向に滑動するようになる。さらに、シャフト３はヘッド２に挿入する先端部分の数センチを含め約６５センチ程の長さに、また、外筒４は約６０センチ程の長さに形成してあり、伸縮ゴルフクラブ本体１を最短に縮小すれば６０数センチから７０センチ程に、最も伸長した状態ではドライバーと同じ長さに設定することが可能となる。【００１５】  紐５は、伸縮性が低く、外筒上端部４ｃとの摩擦抵抗の小さい素材のものを使用し、プレーヤー側先端部にはフック５ａとアジャスター５ｂが設けてあり、プレーヤーの身長や体型に合わせて紐５の長さを調節できるようにしてある。また、紐５の中程にはゴムなどの衝撃吸収性に優れた素材で球状に形成されたストッパー６が接着剤等で固着してあり、このストッパー６は、外筒上端部４ｃに接した時に伸縮ゴルフクラブ本体１がドライバーと同じ長さとなる位置に装着してある。また、ストッパー６を位置調整可能なものにすれば、シャフト３寄りにストッパー６を移動させることでドライバーだけではなくアイアンなどの長さに伸縮ゴルフクラブ本体１を調節することも可能となる。【００１６】  ベルト７は、バックル７ｂによってプレーヤーに装着できるようにしてあり、アジャスター７ｃで長さ調整が可能で、プレーヤーの体型に合わせてフィットさせることができる。また、フック装着部７ａを設けてあり、フック５ａを引っ掛けて装着することで、伸縮ゴルフクラブ本体１とプレーヤーとが連結される。
【図面の簡単な説明】
【００１７】
【図１】  本発明の伸縮ゴルフクラブを示す斜視図である。
【図２】  アドレスからトップにかけての練習用ゴルフクラブ本体の縮小過程を示す図である。
【図３】  ダウンスウィングからインパクトにかけての練習用ゴルフクラブ本体の伸長過程を示す図である。
【図４】  フォロースルーからフィニッシュにかけての練習用ゴルフクラブ本体の縮小過程を示す図である。
【図５】  外筒先端部の断面図である。
【符号の説明】
【００１８】１    伸縮ゴルフクラブ本体
２    ヘッド
２ａ  シャフト挿入口
２ｂ  固定用ネジ
３    シャフト
３ａ  凹状レール
３ｂ  シャフト上端部及び紐結合部
３ｃ  ストッパー
４    外筒
４ａ  凸状ツメ
４ｂ  グリップ
４ｃ  外筒上端部
５    紐
５ａ  フック
５ｂ  アジャスター
６    ストッパー
７    プレーヤー装着ベルト
７ａ  フック装着部
７ｂ  バックル
７ｃ  アジャスター
【図１】
2006021011.tif 000003
【図２】
2006021011.tif 000004
【図３】
2006021011.tif 000005
【図４】
2006021011.tif 000006
【図５】
2006021011.tif 000007